【手続補正書】
【提出日】平成20年1月17日(2008.1.17)
【手続補正１】
【補正対象書類名】特許請求の範囲
【補正対象項目名】請求項１８
【補正方法】変更
【補正の内容】
【請求項１８】
共通の境界は、上カバーと下カバーに共通の境界線を含むことを特徴とする請求項１６に記載の内蔵型キーパッド。
【手続補正２】
【補正対象書類名】明細書
【補正対象項目名】００１１
【補正方法】変更
【補正の内容】
【００１１】
本発明の関連する形態においては、可撓性印刷回路基板の延長部分となり得る電線部材は、内蔵型キーパッド装置とホスト装置との間の電気的接続を提供する。さらに、電線部材は、下カバーから垂れ下がり得る。該電線部材は、それに接続するのに接着剤を使用し得る。電線部材は、ホスト端末と結合する露出接触を含み得る。そのような電線部材は、一体成形されたキーパッドの溝から突出し得る。電線部材に与えられた幅広の電線の半径は、電線部材が破損することなくキーパッド区画の縁に沿う一連の屈曲曲げ及びねじりを許容し得る。その結果、電線部材は、キーパッドを受け入れるのに適応した回路基板又はその他の部品の開孔を介して後続する付属部品に対して改善された接続性を伴って位置合わせされ、受け入れられ得る。このことは、組み立て動作中における電線要素の破壊をさらに和らげる。さらに、そのような電線を使って作られたキーパッドは、所要の密封を促進し、電子装置のための改善された静電放電保護を提供する。また、本発明の一体成形のために、内蔵型キーパッドのほとんど全体が、プラスチックであり得る。この場合、一体成形からなるプラスチックが従来誘電体絶縁体として使用される空気と比較してより高い誘電体絶縁を提供し得るので、個々のパワーピン（power pins）及び相互接続は、極めて接近して配置され得る。
【手続補正３】
【補正対象書類名】明細書
【補正対象項目名】００１５
【補正方法】変更
【補正の内容】
【００１５】
本発明は、いろいろなキーパッド部品を保持するのに伴う機械間接費を緩和する内蔵型キーパッド・アセンブリを供給するシステム及び方法を提供する。また、本発明は、苛酷な環境での適用中において、その損傷し易さを減少させる構造を提供する。図１ａ及び１ｂを参照すると、独立型の密封されたキーパッドの平面図及び概略切断側面図がそれぞれ示されている。そのようなキーパッド１００は、共通の境界１０２、１０４、１０６及び１０８を囲んで一体成形されている上カバー１２０及び下カバー１３０を含んでいる。本発明の１つの形態においては、上カバー１２０及び下カバー１３０は、複数の関連するキーパッド部品（例えば、電線部材、電子発光パネル、その上に複数のキーを持つシリコン膜、印刷回路基板、ＬＥＤなど）を挟んでいる。共通の境界は、上カバーと下カバーに共通の表面領域及び／又は境界線（例えば、上カバーと下カバーとの間の接触面、キーパッド部品をカプセル化する表面、積み重ねられた部品の縁部など）により形成され得る。上カバー１２０及び下カバー１３０を製造するのに使用される材料は、各種のポリカーボネート、熱硬化プラスチック、熱成形プラスチック、及び上カバー１２０と下カバー１３０との間の適当な束縛を提供するために一体成形することができる材料を含み得る。そのような適当な束縛は、装置内の外部汚染物質の存在を緩和する密封されたキーパッド・アセンブリを例えば供給することができる。さらに、上カバー１２０は、透明な品質を持って作られ、キーパッド表面を任意の色又は明るさに照明することで視覚による通知を提供し得る。
【手続補正４】
【補正対象書類名】明細書
【補正対象項目名】００２３
【補正方法】変更
【補正の内容】
【００２３】
本発明の独立型キーパッドは、その上のアルファベットやアルファベットと数字を指定するものすなわちキーを押すことによる使用者の入力の登録を要求し得るいろいろな電気装置又は電子装置に使用され得る。そのような装置の例としては、パーム・パイロット（商標名）、携帯電話、電話、ファックス、コンピュータ、ミニコンピュータ、スキャナ、端末機などである。そのようなキーパッドを組み込み得る１つの特定の装置が、図４に示されている。今、図４を参照すると、本発明の内蔵型キーパッドを受け入れ得る典型的な手持ちスキャナが示されている。ホスト端末機４０５は、情報を表示するディスプレイ４０６を含んでいる。ディスプレイ４０６は、タッチ・スクリーンであってもよく、静電容量式、抵抗式タッチ、赤外線式、弾性表面波式、又は接地音波式（grounded acoustic wave）技術を使用してもよい。さらに、ディスプレイ４０６は、液晶装置、ブラウン管（ＣＲＴ）、電界放射型素子（ＦＥＤ、別名、フラットパネル型ＣＲＴ）、又は使用者に認識可能なグラフィック映像及びアルファベットや数字などの文字を作り出すのに適したその他のディスプレイ装置であってもよい。ホスト端末機４０５は、一体成形されたキーパッド４０７をさらに含んでいる。該キーパッド４０７は、携帯端末の操作モードに関して情報を入れる、又は端末機により提供される情報の取り消し操作や取り扱い操作を実行する、独立型装置として設置されている。キーパッド４０７は、上で詳細に述べたように、その縁部の周りに一体成形された部分埋没部品群からなる。
【手続補正５】
【補正対象書類名】明細書
【補正対象項目名】００３６
【補正方法】変更
【補正の内容】
【００３６】
以上説明したように、本発明の独立型キーパッドは、その上のアルファベットやアルファベットと数字を指定するものすなわちキーを押すことで使用者の入力の登録を要求し得るいろいろな電気装置又は電子装置に使用され得る。図９は、上述したような内蔵型キーパッドを使用するホスト携帯スキャナ装置９２５のための概略ブロック図を示す。示されるように、プロセッサ９４５は、上述したような内蔵型キーパッドを使用する携帯スキャナ装置９２５の一般的動作を制御することに関与する。プロセッサ９４５は、本明細書で述べられたいろいろな機能を実行するために、スキャナ装置９２５内でいろいろな構成要素を制御し、動作させるようにプログラムされている。プロセッサ又はＣＰＵ９４５は、又、ｐ２４Ｔ、ペンティアム（登録商標）５０／７５、ペンティアム（登録商標）６０／９０、及びペンティアム（登録商標）６６／１００、ペンティアム（登録商標）ＰＲＯとペンティアム（登録商標）２、及びその他の同様な互換性のあるプロセッサ又はマイクロ・コントローラのような複数のプロセッサのいずれかであってもよい。インテルの８ビット・マイクロ・コントローラ、８０３１、８０５１、又は８０５２のようなプロセッサが、又、使用されてもよい。プロセッサ９４５が本発明に関連する機能を実行するようにプログラムされ得る方法は、本明細書で提供された記述に基づいて当業者にとって容易に理解されるであろう。プロセッサ９４５に関係するメモリ９７５は、また、携帯スキャナ装置９２５に含まれ、スキャナの動作機能を実行するプロセッサ９４５により実行されるプログラムコードを保管するのに役立つ。メモリ９７５は、また、受け取り処理情報などのような情報を一時的に保管する記憶媒体として役立つ。メモリ９７５は、表示される情報一式を保管するのに適合している。特定の１つの形態によれば、メモリ９７５は、たくさんの情報一式を保管するのに十分な容量を有しており、プロセッサ９４５は、いろいろな表示情報一式の間を交互に入れ替え、すなわち循環させるプログラムを含み得る。
【手続補正６】
【補正対象書類名】明細書
【補正対象項目名】００４２
【補正方法】変更
【補正の内容】
【００４２】
【図１ａ】本発明の１つの形態による独立型キーパッドを作り出すために、上カバー及び下カバーが共通の境界に沿って一体成形（inter molded）されるキーパッドの平面図である。
【図１ｂ】本発明の１つの形態による独立型キーパッドを作り出すために、上カバー及び下カバーが共通の境界に沿って一体成形されるキーパッドの概略切断側面図である。
【図２】本発明の独立型一体成形キーパッドを作るのに使用される典型的なキーパッド部品のスタックを示す。
【図３ａ】本発明の形態による、印刷回路基板と下カバーに接続される垂れ下がり電線部材の平面図である。
【図３ｂ】本発明の形態による、印刷回路基板と下カバーに接続される垂れ下がり電線部材の側面図である。
【図４】本発明の形態に従う独立型キーパッドを組み込み得る特定の携帯装置を示す。
【図５】本発明による典型的な方法を示す。
【図６ａ】本発明の１つの形態よるスピーカーを持つプラスチック製下カバーの平面図である。
【図６ｂ】本発明の１つの形態よるスピーカーを持つプラスチック製下カバーの側面図である。
【図７】本発明の形態に従う識別タグを持つ独立型キーパッドの典型的な切欠斜視図を示す。
【図８】上カバーと下カバーを一体成形し、本発明による独立型キーパッドを形成し得る典型的な成形システムのブロック図を示す。
【図９】本発明の独立型キーパッドを採用し得る特定のホスト装置用の概略ブロック図を示す。